(57)【要約】    【課題】ナースコール親機内の呼出表示灯の表示位置を現場の要望・レイアウトに応じて自由に設定できるようにする。    【解決手段】病室内の病床に設けられ患者が看護師を呼び出すための子機呼出ボタン４１ａ、４１ｂを備えた子機４ａ、４ｂと、病室内のトイレに設けられたトイレ呼出ボタン６１ａ、６１ｂを備えたトイレ子機６ａ、６ｂと、子機呼出ボタンまたはトイレ呼出ボタンの呼び出しを検出し、呼び出しを制御機２を介して呼出表示灯１１ａ〜１１ｄを備えたナースコール親機１に通報する集合廊下灯３とを設け、患者が子機呼出ボタンを押下して看護師を呼び出した場合と患者がトイレ呼出ボタンを押下して看護師を呼び出した場合に、ナースコール親機の同一の呼出表示灯１１ａを表示させるためのＣＰＵ３１を備える。    【選択図】図１
2005102941.tif 000002
【特許請求の範囲】
【請求項１】
病室内の病床に設けられ患者が看護師を呼び出すための子機呼出ボタン(４１ａ、４１ｂ)を備えた子機（４ａ、４ｂ）と、前記病室内のトイレに設けられたトイレ呼出ボタン（６１ａ、６１ｂ）を備えたトイレ子機（６ａ、６ｂ）と、前記子機呼出ボタンまたは前記トイレ呼出ボタンの呼び出しを検出し、前記呼び出しを制御機（２）を介して呼出表示灯（１１ａ〜１１ｄ）を備えたナースコール親機（１）に通報する集合廊下灯（３）とを設け、
前記患者が前記子機呼出ボタンを押下して前記看護師を呼び出した場合と前記患者が前記トイレ呼出ボタンを押下して前記看護師を呼び出した場合に、前記ナースコール親機の同一の呼出表示灯（１１ａ）を表示させるためのＣＰＵ（３１）を備えたことを特徴とするナースコールシステム。
【請求項２】
前記ＣＰＵには、前記ナースコール親機内の同一の呼出表示灯を表示させるための親機表示位置設定スイッチ（３５）を接続したことを特徴とする請求項１記載のナースコールシステム。
【請求項３】
前記呼出表示灯は、患者が前記子機呼出ボタンを押下して前記看護師を呼び出した場合と前記患者が前記トイレ呼出ボタンを押下して前記看護師を呼び出した場合に、異なるパターンで表示を行なうものであることを特徴とする請求項１または請求項２記載のナースコールシステム。
【請求項４】
前記子機呼出ボタン、前記トイレ呼出ボタン毎に優先順位を設定する子機優先順位設定スイッチ（３５ｄ）を設け、呼び出しが重複した場合、前記子機優先順位設定スイッチで設定された内容にしたがって優先順位を判断しナースコール親機間との呼び出し、通話を行なうものであることを特徴とする請求項１乃至請求項３何れか１項記載のナースコールシステム。
【請求項５】
前記子機呼出ボタンおよび前記トイレ呼出ボタンの組合せ毎にグループ化された各グループの優先順位を設定するグループ優先順位設定スイッチ（３５ｅ）を設け、グループ間で呼び出しが重複した場合、前記グループ優先順位設定スイッチで設定された内容にしたがって優先順位を判断しナースコール親機間との呼び出し、通話を行なうものであることを特徴とする請求項１乃至請求項４何れか１項記載のナースコールシステム。
【請求項６】
前記親機表示位置設定スイッチ、前記子機優先順位設定スイッチ、前記グループ優先順位設定スイッチのうち少なくとも一つを前記集合廊下灯に設けたことを特徴とする請求項４または請求項５記載のナースコールシステム。
【請求項７】
前記ＣＰＵは、前記制御機の電源投入時またはリセット時に前記親機表示位置設定スイッチ、前記子機優先順位設定スイッチ、前記グループ優先順位設定スイッチの設定を読み取り、読み取った設定内容に基づいた制御を行なうことを特徴とする請求項４乃至請求項６何れか１項記載のナースコールシステム。
【発明の詳細な説明】
【技術分野】
【０００１】
本発明は、ナースコールシステムに係わり、特にナースコール親機内の呼出表示灯の表示位置を現場の要望・レイアウトに応じて自由に設定することができるナースコールシステムに関する。
【背景技術】
【０００２】
従来から、この種のナースコールシステムとして、図２に示すような構成のものが知られている（例えば、特許文献１参照）。
【０００３】
同図において、従来のナースコールシステムは、病室ａ、ｂ内の各病床にそれぞれ設けられ子機呼出ボタン４１０ａ、４１０ｂを有する子機４０ａ、４０ｂと、病室ａ、ｂの入口付近にそれぞれ設けられた廊下灯５０ａ、５０ｂと、各病室ａ、ｂ内にそれぞれ設けられトイレ呼出ボタン６１０ａ、６１０ｂを有するトイレ子機６０ａ、６０ｂと、病室ａ、ｂの入口付近にそれぞれ設けられたトイレ廊下灯７０ａ、７０ｂと、病室ａ、ｂのトイレ内にそれぞれ設けられたトイレスピーカ（ＳＰ）およびトイレマイク（ＭＩＣ）８０ａ、８０ｂと、それぞれ子機呼出ボタン４１０ａ、４１０ｂおよびトイレ呼出ボタン６１０ａ、６１０ｂの呼び出しを検出し、制御機２０を介して第１〜第４の呼出表示灯１１０ａ〜１１０ｄを有するナースコール親機１０に呼び出しを通報する集合廊下灯３０とを備えている。ここで、制御機２０は、親機幹線Ｌ１０を介してナースコール親機１０に、廊下灯幹線Ｌ２０を介して集合廊下灯３０にそれぞれ接続され、集合廊下灯３０にはそれぞれ子機幹線Ｌ３０ａ、Ｌ３０ｂを介して病室ａ、ｂ内の各機器に接続されている。
【０００４】
このような構成のナースコールシステムにおいて、集合廊下灯３０のＣＰＵ（不図示）に接続された親機表示窓数設定スイッチ（不図示）を「４」に設定し、制御機２０の電源を投入すると若しくはリセットすると、集合廊下灯３０内のＣＰＵにより、親機表示窓数設定スイッチの設定内容が読み取られ、読み取られた設定内容に基づいてナースコール親機１０が次のように制御される。
【０００５】
すなわち、例えば病室ａ内の患者（以下「患者ａ」という。）が病室ａの子機呼出ボタン４１０ａを押下すると、ナースコール親機１０の第１の呼出表示灯１１０ａが点滅し、また、同一病室ａ内の患者ａが病室ａのトイレ呼出ボタン６１０ａを押下すると、ナースコール親機１０の第２の呼出表示灯１１０ｂが点滅する。
【０００６】
次に、病室ｂ内の患者（以下「患者ｂ」という。）が病室ｂの子機呼出ボタン４１０ｂを押下すると、ナースコール親機１０の第３の呼出表示灯１１ｃが点滅し、また、同一病室ｂ内の患者ｂが病室ｂのトイレ呼出ボタン６１０ｂを押下すると、ナースコール親機１０の第４の呼出表示灯１１０ｄが点滅する。
【０００７】
しかしながら、このような構成のナースコールシステムにおいては、同一病室内の同一患者からの呼び出しにもかかわらず、ナースコール親機において、病床からの呼び出しとトイレからの呼び出しとを区別するように構成されているため、ナースコール親機内に常に２個所からの呼び出しを表示する呼出表示灯を装備させる必要があり、ナースコール親機内の呼出表示灯が必要以上に多局化するという難点があった。また、病室内の子機やトイレ子機のレイアウトの変更に応じて、ナースコール親機内の呼出表示灯の点滅個所を自由に変更することができないという難点があった。
【０００８】
【特許文献１】特開平１１−４７１９８号公報（段落番号「００１１」〜「００１６」、図１）
【発明の開示】
【発明が解決しようとする課題】
【０００９】
本発明は、このような難点を解決するためになされたもので、同一病室内の同一患者からの、病床からの呼び出しとトイレからの呼び出しを、ナースコール親機の同一の呼出表示灯に表示させることができるナースコールシステムを提供することを目的としている。
【課題を解決するための手段】
【００１０】
本発明の第１の態様であるナースコールシステムは、病室内の病床に設けられ患者が看護師を呼び出すための子機呼出ボタンを備えた子機と、病室内のトイレに設けられたトイレ呼出ボタンを備えたトイレ子機と、子機呼出ボタンまたはトイレ呼出ボタンの呼び出しを検出し、呼び出しを制御機を介して呼出表示灯を備えたナースコール親機に通報する集合廊下灯とを設け、患者が子機呼出ボタンを押下して看護師を呼び出した場合と患者がトイレ呼出ボタンを押下して看護師を呼び出した場合に、ナースコール親機の同一の呼出表示灯を表示させるものである。
【００１１】
本発明の第２の態様は、第１の態様であるナースコールシステムにおいて、ＣＰＵには、ナースコール親機内の同一の呼出表示灯を表示させるための親機表示位置設定スイッチを接続したものである。
【００１２】
本発明の第３の態様は、第１の態様または第２の態様であるナースコールシステムにおいて、呼出表示灯は、患者が子機呼出ボタンを押下して看護師を呼び出した場合と患者がトイレ呼出ボタンを押下して看護師を呼び出した場合に、異なるパターンで表示を行なうものである。
【００１３】
本発明の第４の態様は、第１の態様乃至第３の態様の何れかであるナースコールシステムにおいて、子機呼出ボタン、トイレ呼出ボタン毎に優先順位を設定する子機優先順位設定スイッチを設け、呼び出しが重複した場合、子機優先順位設定スイッチで設定された内容にしたがって優先順位を判断しナースコール親機間との呼び出し、通話を行なうものである。
【００１４】
本発明の第５の態様は、第１の態様乃至第４の態様の何れかであるナースコールシステムにおいて、子機呼出ボタンおよびトイレ呼出ボタンの組合せ毎にグループ化された各グループの優先順位を設定するグループ優先順位設定スイッチを設け、グループ間で呼び出しが重複した場合、グループ優先順位設定スイッチで設定された内容にしたがって優先順位を判断しナースコール親機間との呼び出し、通話を行なうものである。
【００１５】
本発明の第６の態様は、第４の態様または第５の態様のナースコールシステムにおいて、親機表示位置設定スイッチ、子機優先順位設定スイッチ、グループ優先順位設定スイッチのうち少なくとも一つを集合廊下灯に設けたものである。
【００１６】
本発明の第７の態様は、第４の態様乃至第６の態様の何れかであるナースコールシステムにおいて、ＣＰＵは、制御機の電源投入時またはリセット時に親機表示位置設定スイッチ、子機優先順位設定スイッチ、グループ優先順位設定スイッチの設定を読み取り、読み取った設定内容に基づいた制御を行なうものである。
【発明の効果】
【００１７】
本発明の第１の態様乃至第７の態様のナースコールシステムによれば、集合廊下灯等のＣＰＵに親機表示位置設定スイッチが接続されていることから、同一病室内の同一患者からの２種類の呼び出しを、すなわち子機からの呼び出しとトイレ子機からの呼び出しを、ナースコール親機内の同一の呼出表示灯に表示させることができる。また、ＣＰＵに接続された親機表示位置設定スイッチ等の設定内容を変更することで、トイレ付病室内の子機やトイレ子機等のレイアウトの変更に応じて、呼出時におけるナースコール親機の呼出表示灯の表示位置を自由に変更することができる。
【発明を実施するための最良の形態】
【００１８】
以下、本発明のナースコールシステムの好ましい実施の形態例について、図面を参照して詳述する。
【００１９】
図１は、本発明のナースコールシステムのブロック図を示している。同図において、本発明のナースコールシステムは、ナースステーション内に設置され患者からの呼び出しを報知するとともに通話を行うための第１〜第４の呼出表示灯１１ａ〜１１ｄを有するナースコール親機１と、ナースコール親機１および後述する集合廊下灯３を制御する制御機２と、病室Ａ、Ｂ内の病床にそれぞれ設けられ患者が看護師を呼び出すための子機呼出ボタン４１ａ、４１ｂ（以下、子機呼出ボタン４１ａを「第１の子機呼出ボタン」、子機呼出ボタン４１ｂを「第２の子機呼出ボタン」という。）を有する子機４ａ、４ｂ（以下、子機４ａを「第１の子機」、子機４ｂを「第２の子機」という。）と、病室Ａ、Ｂの入口付近にそれぞれ設けられた廊下灯５ａ、５ｂ（以下、廊下灯５ａを「第１の廊下灯」、廊下灯５ｂを「第２の廊下灯」という。）と、病室Ａ、Ｂのトイレ内にそれぞれ設けられ患者が看護師を呼び出すためのトイレ呼出ボタン６１ａ、６１ｂ（以下、トイレ呼出ボタン６１ａを「第１のトイレ呼出ボタン６１ａ」、トイレ呼出ボタン６１ｂを「第２のトイレ呼出ボタン」という。）を有するトイレ子機６ａ、６ｂ（以下、トイレ子機６ａを「第１のトイレ子機」、トイレ子機６ｂを「第２のトイレ子機」という。）と、病室Ａ、Ｂの入口付近にそれぞれ設けられたトイレ廊下灯７ａ、７ｂ（以下、トイレ廊下灯７ａを「第１のトイレ廊下灯」、トイレ廊下灯７ｂを「第２のトイレ廊下灯７ａ」という。）と、病室Ａ、Ｂのトイレ内にそれぞれ設けられたトイレスピーカおよびトイレマイク（以下「トイレＳＰ・ＭＩＣ」という。）８ａ、８ｂ（以下、トイレＳＰ・ＭＩＣ８ａを「第１のトイレＳＰ・ＭＩＣ」、トイレＳＰ・ＭＩＣ８ｂを「第２のトイレＳＰ・ＭＩＣ」という。）と、第１、第２の子機呼出ボタン４１ａ、４１ｂまたは第１、第２のトイレ呼出ボタン６１ａ、６１ｂの呼び出しを検出し、当該呼び出しを制御機２を介してナースコール親機１に通報するための集合廊下灯３とを備えている。ここで、制御機２は、親機幹線Ｌ１を介してナースコール親機１に、廊下灯幹線Ｌ２を介して集合廊下灯３にそれぞれ接続され、集合廊下灯３には後述するように子機幹線Ｌ３ａ、Ｌ３ｂを介して対応する病室Ａ、Ｂ内の各機器に接続されている。なお、第１の子機幹線Ｌ３ａは、第１〜第６の伝送路Ｌ３１〜Ｌ３６で構成され、第２の子機幹線Ｌ３ｂは、第７〜第１２の伝送路Ｌ３７〜Ｌ４２で構成されている。
【００２０】
集合廊下灯３は、ＣＰＵ３１、データ送受信回路３２、通話音増幅回路３３、通話切替回路３４、廊下灯ＩＤ設定スイッチ（ＳＷ）３５ａ、親機表示窓数設定ＳＷ３５ｂおよび個室対応設定ＳＷ３５ｃを有する親機表示位置設定ＳＷ３５、子機優先順位設定ＳＷ３５ｄ、グループ優先順位設定ＳＷ３５ｅ、第１〜第４の呼出検出部３６ａ〜３６ｄ、第１〜第４の廊下灯制御部３７ａ〜３７ｄの各部（回路）を備えている。
【００２１】
ここで、ＣＰＵ３１は、データ送受信回路３２、通話切替回路３４、廊下灯ＩＤ設定ＳＷ３５ａ、親機表示窓数設定ＳＷ３５ｂ、個室対応設定ＳＷ３５ｃ、子機優先順位設定ＳＷ３５ｄ、グループ優先順位設定ＳＷ３５ｅ、第１〜第４の呼出検出部３６ａ〜３６ｄ、第１〜第４の廊下灯制御部３７ａ〜３７ｄに接続され、データ送受信回路３２には通話音増幅回路３３および廊下灯幹線Ｌ２を介して制御機２が、通話切替回路３４には通話音増幅回路３３、第１、第７の伝送路Ｌ３１、Ｌ３７を介して子機４ａ、４ｂおよび第６、第１２の伝送路Ｌ３６、Ｌ４２を介してトイレＳＰ・ＭＩＣ８ａ、８ｂが、第１の呼出検出部３６ａには第２の伝送路Ｌ３２を介して子機４ａが、第２の呼出検出部３６ｂには第４の伝送路Ｌ３４を介してトイレ子機６ａが、第３の呼出検出部３６ｃには第８の伝送路Ｌ３８を介して子機４ｂが、第４の呼出検出部３６ｄには第１０の伝送路Ｌ４０を介してトイレ子機６ｂが、第１の廊下灯制御部３７ａには第３の伝送路Ｌ３３を介して廊下灯５ａが、第２の廊下灯制御部３７ｂには第５の伝送路Ｌ３５を介してトイレ廊下灯７ａが、第３の廊下灯制御部３７ｃには第９の伝送路Ｌ３９を介して第２の廊下灯５ｂが、第４の廊下灯制御部３７ｄには第１１の伝送路Ｌ４１を介して第２のトイレ廊下灯７ｂがそれぞれ接続されている。
【００２２】
次に、このような構成のナースコールシステムの動作について説明する。
【００２３】
［実施例１］
先ず、この実施例においては、患者Ａ、Ｂは、病室Ａ、Ｂ内にそれぞれ設置された個室トイレを使用するものとして設定されており、各個室トイレ内には、それぞれ第１、第２のトイレ呼出ボタン６１ａ、６１ｂを有する第１、第２のトイレ子機６ａ、６ｂおよび第１、第２のトイレＳＰ・ＭＩＣ８ａ、８ｂが設置されている。
【００２４】
このような状態において、親機表示位置設定ＳＷ３５を構成する親機表示窓数設定ＳＷ３５ｂの窓数を「２」に、個室対応設定ＳＷ３５ｃを「ＯＮ」に設定し、制御機２の電源ＳＷ（不図示）を投入すると若しくはリセットすると、集合廊下灯３のＣＰＵ３１により廊下灯ＩＤ設定ＳＷ３５ａ、親機表示窓数設定ＳＷ３５ｂおよび個室対応設定ＳＷ３５ｃの設定内容が読み取られ、読み取られた設定内容に基づいてナースコール親機１が次のように制御される。
【００２５】
すなわち、例えば病室Ａ内の患者（以下「患者Ａ」という。）が第１の子機呼出ボタン４１ａを押下すると、第１の子機４ａから第２の伝送路Ｌ３２を介して送出される呼出信号（以下「第１の呼出信号」という。）が第１の呼出検出部３６ａで検出される。かかる第１の呼出信号がＣＰＵ３１で検出されると、ＣＰＵ３１から第１の子機４ａのアドレス情報を含有する呼出検出信号（以下「第１の呼出検出信号」という。）が出力され、この第１の呼出検出信号がデータ送受信回路３２、廊下灯幹線Ｌ２、制御機２および親機幹線Ｌ１を介してナースコール親機１へ送出される。
【００２６】
かかる第１の呼出検出信号がナースコール親機１で検出されると、ナースコール親機１の呼出音報知部から呼出音が放音されるとともに患者Ａに対応する第１の呼出表示灯１１ａが点滅する。
【００２７】
ここで、ナースコール親機１において、患者Ａからの呼び出しに対して応答すると、ナースコール親機１から応答信号（以下「第１の応答信号」という。）が出力され、この第１の応答信号が前述の第１の呼出検出信号と逆の経路を経由してＣＰＵ３１へ送出される。かかる第１の応答信号がＣＰＵ３１で検出されると、通話路切替回路３４が第１の伝送路Ｌ３１側に切り換えられ、これにより、第１の子機４ａとナースコール親機１間の通話が可能となる。
【００２８】
次に、上記の患者Ａが第１のトイレ呼出ボタン６１ａを押下すると、第１のトイレ子機６ａから第４の伝送路Ｌ３４を介して送出される呼出信号（以下「第１のトイレ呼出信号」という。）が第２の呼出検出部３６ｂで検出される。かかる第１のトイレ呼出信号がＣＰＵ３１で検出されると、当該ＣＰＵ３１において第１の子機４ａと同室（病室Ａ）の第１のトイレ子機６ａから呼び出しが行われていると判断され、当該ＣＰＵ３１から第１のトイレ子機６ａのアドレス情報を含有する呼出検出信号（以下「第１のトイレ呼出検出信号」という。）が出力され、この第１のトイレ呼出検出信号が前述の第１の呼出検出信号と同様の経路を経由してナースコール親機１へ送出される。
【００２９】
かかる第１のトイレ呼出検出信号がナースコール親機１で検出されると、ナースコール親機１の呼出音報知部から呼出音が放音されるとともに患者Ａに対応する第１の呼出表示灯１１ａが点滅する。
【００３０】
ここで、ナースコール親機１において、第１のトイレ子機６ａからの呼び出しに対して応答すると、ナースコール親機１から応答信号（以下「第１のトイレ応答信号」という。）が出力され、この第１のトイレ応答信号が前述の第１の応答信号と同様の経路を経由してＣＰＵ３１へ送出される。かかる第１のトイレ応答信号がＣＰＵ３１で検出されると、通話路切替回路３４が第６の伝送路Ｌ３６側に切り換えられ、これにより、第１のトイレＳＰ・ＭＩＣ８ａとナースコール親機１間の通話が可能となる。
【００３１】
次に、病室Ｂ内の患者（以下「患者Ｂ」という。）が第２の子機呼出ボタン４１ｂを押下すると、第２の子機４ｂから第８の伝送路Ｌ３８を介して送出される呼出信号（以下「第２の呼出信号」という。）が第３の呼出検出部３６ｃで検出され、ＣＰＵ３１から第２の子機４ｂのアドレス情報を含有する呼出検出信号（以下「第２の呼出検出信号」という。）が第１の呼出検出信号と同様の経路を経由してナースコール親機１へ送出される。これにより、ナースコール親機１の呼出音報知部から呼出音が放音されるとともに患者Ｂに対応する第２の呼出表示灯１１ｂが点滅する。そして、ナースコール親機１において、患者Ｂからの呼び出しに対して応答すると、ナースコール親機１から応答信号（以下「第２の応答信号」という。）が出力され、この第２の応答信号が前述の第１の応答信号と同様の経路を経由してＣＰＵ３１へ送出される。かかる第２の応答信号がＣＰＵ３１で検出されると、通話路切替回路３４が第７の伝送路Ｌ３７側に切り換えられ、これにより、第２の子機４ｂとナースコール親機１間の通話が可能となる。
【００３２】
また、患者Ｂが第２のトイレ呼出ボタン６１ｂを押下すると、第２のトイレ子機６ｂから第１０の伝送路Ｌ４０を介して送出される呼出信号（以下「第２のトイレ呼出信号」という。）が第４の呼出検出部３６ｄで検出される。かかる第２のトイレ呼出信号がＣＰＵ３１で検出されると、当該ＣＰＵ３１において第２の子機４ｂと同室（病室Ｂ）の第２のトイレ子機６ｂから呼び出しが行われていると判断され、当該ＣＰＵ３１から第２のトイレ子機６ｂのアドレス情報を含有する呼出検出信号（以下「第２のトイレ呼出検出信号」という。）が出力され、この第２のトイレ呼出検出信号が前述の第２の呼出検出信号と同様の経路を経由してナースコール親機１へ送出される。これにより、ナースコール親機１の呼出音報知部から呼出音が放音されるとともに患者Ｂに対応する第２の呼出表示灯１１ｂが点滅する。ここで、ナースコール親機１において、患者Ｂからの呼び出しに対して応答すると、ナースコール親機１から応答信号（以下「第２のトイレ応答信号」という。）が出力され、この第２のトイレ応答信号が前述の第２の応答信号と同様の経路を経由してＣＰＵ３１へ送出される。かかる第２のトイレ応答信号がＣＰＵ３１で検出されると、通話路切替回路３４が第１２の伝送路Ｌ４２側に切り換えられ、これにより、第２のトイレＳＰ・ＭＩＣ８ｂとナースコール親機１間の通話が可能となる。
【００３３】
［実施例２］
先ず、この実施例においては、患者Ａ、Ｂは、病室Ａ、Ｂ内にそれぞれ設置された個室トイレを使用するものとして設定されており、各個室トイレ内には、それぞれ第１、第２のトイレ呼出ボタン６１ａ、６１ｂを有する第１、第２のトイレ子機６ａ、６ｂおよび第１、第２のトイレＳＰ・ＭＩＣ８ａ、８ｂが設置されている。
【００３４】
このような状態において、親機表示位置設定ＳＷ３５を構成する親機表示窓数設定ＳＷ３５ｂの窓数を「４」に、個室対応設定ＳＷ３５ｃを「ＯＦＦ」に設定し、制御機２の電源ＳＷを投入すると若しくはリセットすると、集合廊下灯３のＣＰＵ３１により廊下灯ＩＤ設定ＳＷ３５ａ、親機表示窓数設定ＳＷ３５ｂおよび個室対応設定ＳＷ３５ｃの設定内容が読み取られ、読み取られた設定内容に基づいてナースコール親機１が次のように制御される。
【００３５】
すなわち、患者Ａが第１の子機呼出ボタン４１ａを押下すると、第１の子機４ａから第２の伝送路Ｌ３２を介して送出される呼出信号（以下「第３の呼出信号」という。）が第１の呼出検出部３６ａで検出される。かかる第３の呼出信号がＣＰＵ３１で検出されると、ＣＰＵ３１から第１の子機４ａのアドレス情報を含有する呼出検出信号（以下「第３の呼出検出信号」という。）が出力され、この第３の呼出検出信号が前述の第１の呼出検出信号と同様の経路を経由してナースコール親機１へ送出される。
【００３６】
かかる第３の呼出検出信号がナースコール親機１で検出されると、ナースコール親機１の呼出音報知部から呼出音が放音されるとともに患者Ａに対応する第１の呼出表示灯１１ａが点滅する。
【００３７】
ここで、ナースコール親機１において、患者Ａからの呼び出しに対して応答すると、ナースコール親機１から応答信号（以下「第３の応答信号」という。）が出力され、この第３の応答信号が前述の第１の応答信号と同様の経路を経由してＣＰＵ３１へ送出される。かかる第３の応答信号がＣＰＵ３１で検出されると、通話路切替回路３４が第１の伝送路Ｌ３１側に切り換えられ、これにより、第１の子機４ａとナースコール親機１間の通話が可能となる。
【００３８】
次に、上記の患者Ａが第１のトイレ呼出ボタン６１ａを押下すると、第１のトイレ子機６ａから第４の伝送路Ｌ３４を介して送出される呼出信号（以下「第３のトイレ呼出信号」という。）が第２の呼出検出部３６ｂで検出される。かかる第３のトイレ呼出信号がＣＰＵ３１で検出されると、当該ＣＰＵ３１において第１の子機４ａと同室（病室Ａ）の第１のトイレ子機６ａから呼び出しが行われていると判断され、当該ＣＰＵ３１から第１のトイレ子機６ａのアドレス情報を含有する呼出検出信号（以下「第３のトイレ呼出検出信号」という。）が出力され、この第３のトイレ呼出検出信号が前述の第１の呼出検出信号と同様の経路を経由してナースコール親機１へ送出される。
【００３９】
かかる第３のトイレ呼出検出信号がナースコール親機１で検出されると、ナースコール親機１の呼出音報知部から呼出音が放音されるとともに患者Ａに対応する第２の呼出表示灯１１ｂが点滅する。
【００４０】
ここで、ナースコール親機１において、第１のトイレ子機６ａからの呼び出しに対して応答すると、ナースコール親機１から応答信号（以下「第３のトイレ応答信号」という。）が出力され、この第３のトイレ応答信号が前述の第１の応答信号と同様の経路を経由してＣＰＵ３１へ送出される。かかる第３のトイレ応答信号がＣＰＵ３１で検出されると、通話路切替回路３４が第６の伝送路Ｌ３６側に切り換えられ、これにより、第１のトイレＳＰ・ＭＩＣ８ａとナースコール親機１間の通話が可能となる。
【００４１】
次に、患者Ｂが第２の子機呼出ボタン４１ｂを押下すると、第２の子機４ｂから第８の伝送路Ｌ３８を介して送出される呼出信号（以下「第４の呼出信号」という。）が第３の呼出検出部３６ｃで検出され、ＣＰＵ３１から第２の子機４ｂのアドレス情報を含有する呼出検出信号（以下「第４の呼出検出信号」という。）が前述の第１の呼出検出信号と同様の経路を経由してナースコール親機１へ送出される。これにより、ナースコール親機１の呼出音報知部から呼出音が放音されるとともに患者Ｂに対応する第３の呼出表示灯１１ｃが点滅する。そして、ナースコール親機１において、患者Ｂからの呼び出しに対して応答すると、ナースコール親機１から応答信号（以下「第４の応答信号」という。）が出力され、この第４の応答信号が前述の第１の応答信号と同様の経路を経由してＣＰＵ３１へ送出される。かかる第４の応答信号がＣＰＵ３１で検出されると、通話路切替回路３４が第７の伝送路Ｌ３７側に切り換えられ、これにより、第２の子機４ｂとナースコール親機１間の通話が可能となる。
【００４２】
また、患者Ｂが第２のトイレ呼出ボタン６１ｂを押下すると、第２のトイレ子機６ｂから第１０の伝送路Ｌ４０を介して送出される呼出信号（以下「第４のトイレ呼出信号」という。）が第４の呼出検出部３６ｄで検出される。かかる第４のトイレ呼出信号がＣＰＵ３１で検出されると、当該ＣＰＵ３１において第２の子機４ｂと同室（病室Ｂ）の第２のトイレ子機６ｂから呼び出しが行われていると判断され、当該ＣＰＵ３１から第２のトイレ子機６ｂのアドレス情報を含有する呼出検出信号（以下「第４のトイレ呼出検出信号」という。）が出力され、この第４のトイレ呼出検出信号が第２の呼出検出信号と同様の経路を経由してナースコール親機１へ送出される。これにより、ナースコール親機１の呼出音報知部から呼出音が放音されるとともに患者Ｂに対応する第４の呼出表示灯１１ｄが点滅する。ここで、ナースコール親機１において、患者Ｂからの呼び出しに対して応答すると、ナースコール親機１から応答信号（以下「第４のトイレ応答信号」という。）が出力され、この第４のトイレ応答信号が前述の第１の応答信号と同様の経路を経由してＣＰＵ３１へ送出される。かかる第４のトイレ応答信号がＣＰＵ３１で検出されると、通話路切替回路３４が第１２の伝送路Ｌ４２側に切り換えられ、これにより、第２のトイレＳＰ・ＭＩＣ８ｂとナースコール親機１間の通話が可能となる。
【００４３】
［実施例３］
先ず、この実施例においては、患者Ａ、Ｂは、病室Ａ、Ｂ間に設置された共用トイレを使用するものとして設定されており、当該共用トイレ内には、患者Ａ、Ｂが看護師を呼び出すための共用トイレ呼出ボタンを有する共用トイレ子機および共用トイレＳＰ・ＭＩＣが設置されている。なお、図１において、これらの共用トイレ呼出ボタン、共用トイレ子機および共用トイレＳＰ・ＭＩＣは、それぞれ符号６１ａ、６ａ、８ａとして表示されている。
【００４４】
このような状態において、親機表示位置設定ＳＷ３５を構成する親機表示窓数設定ＳＷ３５ｂの窓数を「３」に、個室対応設定ＳＷ３５ｃを「ＯＦＦ」に設定し、制御機２の電源ＳＷを投入すると若しくはリセットすると、集合廊下灯３のＣＰＵ３１により廊下灯ＩＤ設定ＳＷ３５ａ、親機表示窓数設定ＳＷ３５ｂおよび個室対応設定ＳＷ３５ｃの設定内容が読み取られ、読み取られた設定内容に基づいてナースコール親機１が次のように制御される。
【００４５】
すなわち、患者Ａが第１の子機呼出ボタン４１ａを押下すると、第１の子機４ａから第２の伝送路Ｌ３２を介して送出される呼出信号（以下「第５の呼出信号」という。）が第１の呼出検出部３６ａで検出される。かかる第５の呼出信号がＣＰＵ３１で検出されると、ＣＰＵ３１から第１の子機４ａのアドレス情報を含有する呼出検出信号（以下「第５の呼出検出信号」という。）が出力され、この第５の呼出検出信号が前述の第１の呼出検出信号と同様の経路を経由してナースコール親機１へ送出される。
【００４６】
かかる第５の呼出検出信号がナースコール親機１で検出されると、ナースコール親機１の呼出音報知部から呼出音が放音されるとともに患者Ａに対応する第１の呼出表示灯１１ａが点滅する。
【００４７】
ここで、ナースコール親機１において、患者Ａからの呼び出しに対して応答すると、ナースコール親機１から応答信号（以下「第５の応答信号」という。）が出力され、この第５の応答信号が前述の第１の応答信号と同様の経路を経由してＣＰＵ３１へ送出される。かかる第５の応答信号がＣＰＵ３１で検出されると、通話路切替回路３４が第１の伝送路Ｌ３１側に切り換えられ、これにより、第１の子機４ａとナースコール親機１間の通話が可能となる。
【００４８】
次に、患者Ａ若しくは患者Ｂが共用トイレ呼出ボタン６１ａを押下すると、共用トイレ子機６ａから第４の伝送路Ｌ３４を介して送出される呼出信号（以下「第５のトイレ呼出信号」という。）が第２の呼出検出部３６ｂで検出される。かかる第５のトイレ呼出信号がＣＰＵ３１で検出されると、当該ＣＰＵ３１において共用トイレから呼び出しが行われていると判断され、当該ＣＰＵ３１から共用トイレ子機６ａのアドレス情報を含有する呼出検出信号（以下「第５のトイレ呼出検出信号」という。）が出力され、この第５のトイレ呼出検出信号が前述の第１の呼出検出信号と同様の経路を経由してナースコール親機１へ送出される。
【００４９】
かかる第５のトイレ呼出検出信号がナースコール親機１で検出されると、ナースコール親機１の呼出音報知部から呼出音が放音されるとともに共用トイレに対応する第２の呼出表示灯１１ｂが点滅する。
【００５０】
ここで、ナースコール親機１において、共用トイレ子機６ａからの呼び出しに対して応答すると、ナースコール親機１から応答信号（以下「第５のトイレ応答信号」という。）が出力され、この第５のトイレ応答信号が前述の第１の応答信号と同様の経路を経由してＣＰＵ３１へ送出される。かかる第３のトイレ応答信号がＣＰＵ３１で検出されると、通話路切替回路３４が第６の伝送路Ｌ３６側に切り換えられ、これにより、共用トイレＳＰ・ＭＩＣ８ａとナースコール親機１間の通話が可能となる。
【００５１】
次に、患者Ｂが第２の子機呼出ボタン４１ｂを押下すると、第２の子機４ｂから第８の伝送路Ｌ３８を介して送出される呼出信号（以下「第６の呼出信号」という。）が第３の呼出検出部３６ｃで検出され、ＣＰＵ３１から第２の子機４ｂのアドレス情報を含有する呼出検出信号（以下「第６の呼出検出信号」という。）が前述の第１の呼出検出信号と同様の経路を経由してナースコール親機１へ送出される。これにより、ナースコール親機１の呼出音報知部から呼出音が放音されるとともに患者Ｂに対応する第３の呼出表示灯１１ｃが点滅する。そして、ナースコール親機１において、患者Ｂからの呼び出しに対して応答すると、ナースコール親機１から応答信号（以下「第６の応答信号」という。）が出力され、この第６の応答信号が前述の第１の応答信号と同様の経路を経由してＣＰＵ３１へ送出される。かかる第６の応答信号がＣＰＵ３１で検出されると、通話路切替回路３４が第７の伝送路Ｌ３７側に切り換えられ、これにより、第２の子機４ｂとナースコール親機１間の通話が可能となる。
【００５２】
［実施例４］
先ず、この実施例においては、集合廊下灯３に搭載された子機優先順位設定ＳＷ３５ｄによって、第１、第２の子機呼出ボタン４１ａ、４１ｂ、第１、第２のトイレ呼出ボタン６１ａ、６１ｂ毎に優先順位が設定されている。
【００５３】
例えば子機優先順位設定ＳＷ３５ｄによって、第１のトイレ子機６ａ、第２のトイレ子機６ｂ、第１の子機４ａ、第２の子機４ｂの順で優先順位を設定し、制御機２の電源ＳＷを投入すると若しくはリセットすると、集合廊下灯３のＣＰＵ３１により廊下灯ＩＤ設定ＳＷ３５ａ、親機表示窓数設定ＳＷ３５ｂ、個室対応設定ＳＷ３５ｃおよび子機優先順位設定ＳＷ３５ｄの設定内容が読み取られ、読み取られた設定内容に基づいてナースコール親機１が次のように制御される。すなわち、第１、第２の子機呼出ボタン４１ａ、４１ｂや第１、第２のトイレ呼出ボタン６１ａ、６１ｂからの呼び出しが重複した場合、例えば第１の子機４ａで呼び出しが行われている際に、第２のトイレ子機６ｂから呼び出し行われると、制御機２により第１の子機４ａよりも優先度の高い第２のトイレ子機６ｂからの呼び出しが優先される。これにより、第２のトイレ子機６ｂは、第１の子機４ａに優先してナースコール親機１と呼び出し、通話を行なうことができる。
【００５４】
［実施例５］
先ず、この実施例においては、集合廊下灯３に搭載されたグループ優先順位設定スイッチ３５ｅによって、第１、第２の子機呼出ボタン４１ａ、４１ｂ、第１、第２のトイレ呼出ボタン６１ａ、６１ｂの組合せ毎にグループ化された各グループの優先順位が設定されている。
【００５５】
例えばグループ優先順位設定スイッチ３５ｅによって、病室Ａ内に設置された第１の子機４ａおよび第１のトイレ子機６ａ（以下「第１のグループ」という。）を病室Ｂ内に設置された第２の子機４ｂおよび第２のトイレ子機６ｂ（以下「第２のグループ」という。）よりも優先させて設定し、制御機２の電源ＳＷを投入すると若しくはリセットすると、集合廊下灯３のＣＰＵ３１により廊下灯ＩＤ設定ＳＷ３５ａ、親機表示窓数設定ＳＷ３５ｂ、個室対応設定ＳＷ３５ｃおよびグループ優先順位設定スイッチ３５ｅの設定内容が読み取られ、読み取られた設定内容に基づいてナースコール親機１が次のように制御される。すなわち、第１、第２のグループ間で呼び出しが重複した場合、例えば第２のグループを構成する第２の子機４ｂ若しくは第２のトイレ子機６ｂから呼び出しが行われている際に、第１のグループを構成する第１の子機４ａ若しくは第１のトイレ子機６ａから呼び出し行われると、制御機２により第２のグループよりも優先度の高い第１のグループからの呼び出しが優先される。これにより、第１のグループを構成する第１の子機４ａ若しくは第１のトイレ子機６ａは、第２のグループを構成する第２の子機４ｂ若しくは第２のトイレ子機６ｂに優先してナースコール親機１と呼び出し、通話を行なうことができる。
【００５６】
この実施例においては、グループ優先順位設定ＳＷ３５ｅを設定することで、子機毎のみならずグループ毎、つまり病室毎の優先順位も設定することができる。
【産業上の利用可能性】
【００５７】
本発明のナースコールシステムは、前述の実施の形態例に限定されず、例えば次に述べるようにしても、本発明のナースコールシステムと同様の効果を得ることができる。
【００５８】
第１に、集合廊下灯に親機表示位置設定スイッチ、子機優先順位設定スイッチおよびグループ優先順位設定スイッチのすべてを集合廊下灯に設けたものに限定されず、親機表示位置設定スイッチ、子機優先順位設定スイッチおよびグループ優先順位設定スイッチのうち少なくとも一つを集合廊下灯に設けてよい。
【００５９】
第２に、親機表示位置設定スイッチ、子機優先順位設定スイッチおよびグループ優先順位設定スイッチの全て若しくは少なくとも一つは集合廊下灯に設けたものに限定されず、これらの親機表示位置設定スイッチ、子機優先順位設定スイッチおよびグループ優先順位設定スイッチの全て若しくは少なくとも一つは制御機等に設けてよい。
【００６０】
第３に、呼出表示灯における表示は点滅させるものに限定されず、呼出対象子機ごとに表示させるＬＥＤの色を変更したり、表示パターンを点滅させるものと点灯させるものに区分してもよい。
【００６１】
この実施例においては、患者からの呼び出しに応じて呼出表示灯が異なるパターンで表示されることから、視認性が向上し、看護師における患者の判断が容易になる。
【００６２】
第４に、病室の個数は、２室に限定されず、システムの規模に応じて増減することができ、また、病室はトイレ付病室に限定されない。
【図面の簡単な説明】
【００６３】
【図１】本発明によるナースコールシステムのブロック図。
【図２】従来のナースコールシステムのブロック図。
【符号の説明】
【００６４】
１・・・ナースコール親機
１１ａ〜１１ｄ・・・呼出表示灯
２・・・制御機
３・・・集合廊下灯
３１・・・ＣＰＵ
３５・・・親機表示位置設定スイッチ
３５ｄ・・・子機優先順位設定スイッチ
３５ｅ・・・グループ優先順位設定スイッチ
４ａ、４ｂ・・・子機
４１ａ、４１ｂ・・・子機呼出ボタン
６ａ、６ｂ・・・トイレ子機
６１ａ、６１ｂ・・・トイレ呼出ボタン
【図１】
2005102941.tif 000003
【図２】
2005102941.tif 000004